(57)【要約】【課題】本発明は、固定電話ネットワーク及びパケットデータネットワークの両方がコールの送信に使用される環境においてコールを送信することに係る。【解決手段】本発明によれば、接続の到来するレッグからデータを受信しそしてそのデータを接続の出て行くレッグに転送する電話ネットワークのネットワーク要素は、その接続を監視し、そして接続の到来するレッグ及び出て行くレッグの両方がパケットデータネットワークを経て電話ネットワークの以前のネットワーク要素又は対応的に次のネットワーク要素に送信されることを観察したときに、電話ネットワークの以前のネットワーク要素への接続を解除し、そして次の電話ネットワーク要素に対応するパケットネットワークアドレスを指示し、その後に、以前の電話ネットワーク要素がパケットデータネットワークを経て次の電話ネットワーク要素へ直接的にデータを送信することができる。【選択図】図３
2008154266.tif 000002
【特許請求の範囲】
【請求項１】
電話ネットワークにおいてデータ送信を最適化する方法であって、少なくとも、
第１スイッチングネットワーク要素は、ユーザデータ接続の到来するレッグが第２スイッチングネットワーク要素からパケットデータネットワークを経て送信されるかどうか、そして同じユーザデータ接続の出て行くレッグが上記パケットデータネットワークを経て第３スイッチングネットワーク要素へ送信されるかどうかを検査し、そして
上記到来する及び出て行くレッグの両方が上記パケットデータネットワークを経て送信される場合には、上記第１スイッチングネットワーク要素は、上記第２及び第３スイッチングネットワーク要素の一方に、その他方に対応する上記パケットデータネットワークのアドレスを指示する、
という段階を含むことを特徴とする方法。
【請求項２】
上記第１スイッチングネットワーク要素は、その第１スイッチングネットワーク要素と、上記第２及び第３スイッチングネットワーク要素の上記一方との間のユーザデータ接続を解除する段階を更に含む請求項１に記載の方法。
【請求項３】
上記第２及び第３スイッチングネットワーク要素の上記一方は、上記第２スイッチングネットワーク要素であり、そして
上記第２及び第３スイッチングネットワーク要素の上記他方は、上記第３スイッチングネットワーク要素である請求項１に記載の方法。
【請求項４】
上記パケットデータネットワークは、ＩＰネットワークであり、そして上記パケットデータネットワークの上記アドレスは、ＩＰアドレスである請求項１に記載の方法。
【請求項５】
上記パケットデータネットワークの上記アドレスは、ＲＦＣ７９１に基づくＩＰｖ４である請求項４に記載の方法。
【請求項６】
上記パケットデータネットワークの上記アドレスは、ＲＦＣ１８８３に基づくＩＰｖ６である請求項４に記載の方法。
【請求項７】
上記第２及び第３スイッチングネットワーク要素の上記一方に対応する上記アドレスは、コール制御解除メッセージを使用して上記第２及び第３スイッチングネットワーク要素の上記他方に指示される請求項１に記載の方法。
【請求項８】
上記指示は、ＩＳＵＰ  ＲＥＬＥＡＳＥメッセージにアタッチされる請求項７に記載の方法。
【請求項９】
上記接続は、スピーチデータ接続である請求項１に記載の方法。
【請求項１０】
上記スイッチングネットワーク要素は、セルラーテレコミュニケーションネットワークのネットワーク要素である請求項１に記載の方法。
【請求項１１】
上記スイッチングネットワーク要素は、セルラーテレコミュニケーションネットワークのＭＳＣである請求項１に記載の方法。
【請求項１２】
上記スイッチングネットワーク要素は、ＧＳＭネットワークのＭＳＣである請求項１１に記載の方法。
【請求項１３】
上記スイッチングネットワーク要素は、ＵＭＴＳネットワークのＭＳＣである請求項１１に記載の方法。
【請求項１４】
電話ネットワークのスイッチングネットワーク要素において、少なくとも、
接続の到来するレッグ及び出て行くレッグを検査し、そして接続の両レッグが回路交換接続ではなくパケットデータネットワークを経て送信される場合に出力を発生するための手段と、
上記出て行くレッグの受信端におけるスイッチングネットワーク要素及び上記到来するレッグの発信端におけるスイッチングネットワーク要素の一方に対応するパケットデータネットワークアドレスを、上記出て行くレッグの受信端におけるスイッチングネットワーク要素及び上記到来するレッグの発信端におけるスイッチングネットワーク要素の他方に、上記出力に対する応答として指示するための手段と、
上記出て行くレッグの受信端におけるスイッチングネットワーク要素及び上記到来するレッグの発信端におけるスイッチングネットワーク要素の上記一方に、上記出力に対する応答として接続解除メッセージを送信するための手段と、
を備えたことを特徴とするスイッチングネットワーク要素。
【請求項１５】
上記出て行くレッグの受信端におけるスイッチングネットワーク要素及び上記到来するレッグの発信端におけるスイッチングネットワーク要素の上記一方は、上記出て行くレッグの受信端におけるスイッチングネットワーク要素であり、そして上記出て行くレッグの受信端におけるスイッチングネットワーク要素及び上記到来するレッグの発信端におけるスイッチングネットワーク要素の上記他方は、上記到来するレッグの発信端におけるスイッチングネットワーク要素である請求項１４に記載のスイッチングネットワーク要素。
【請求項１６】
上記スイッチングネットワーク要素は、セルラーテレコミュニケーションネットワークのネットワーク要素である請求項１４に記載のスイッチングネットワーク要素。
【請求項１７】
上記スイッチングネットワーク要素は、セルラー電話ネットワークのＭＳＣである請求項１４に記載のスイッチングネットワーク要素。
【請求項１８】
上記スイッチングネットワーク要素は、ＧＳＭネットワークのＭＳＣである請求項１４に記載のスイッチングネットワーク要素。
【請求項１９】
上記スイッチングネットワーク要素は、ＵＭＴＳネットワークのＭＳＣである請求項１４に記載のスイッチングネットワーク要素。
【発明の詳細な説明】
【技術分野】
【０００１】
本発明は、固定電話ネットワーク及びパケットデータネットワークの両方がコールの送信に使用される環境においてコールを送信することに係る。本発明は、独立請求項１の前文に記載の方法に係る。
【背景技術】
【０００２】
従来の電話において、基本的なチャンネルフォーマットは、単一スピーチ接続が送信される６４ｋビット／ｓチャンネルである。この６４ｋビット／ｓチャンネルは、毎秒８０００サンプルを送信し、各サンプルは８ビットを有する。典型的に、複数の６４ｋビット／ｓチャンネルが単一の送信ラインに送信され、１５４４ｋビット／ｓ、２０４８ｋビット／ｓ及びそれより高い送信レートを形成する。２０４８ｋビット／ｓ送信リンクでは、２５６ビット即ち３２バイトフレームが毎秒８００回送信される。フレームの８ビット即ちバイトの３２グループをタイムスロットと称する。ＰＣＭ送信ライン及びトランクラインという用語は、複数の６４ｋビット／ｓチャンネルを送信する通信リンクを指すものとして一般に使用される。それ故、トランクラインのグループ内に送信されるあるスピーチチャンネルを識別するために、チャンネルのタイムスロット番号及びトランクライン識別子を指示することが必要である。トランクラインという用語は、基本的１５４４ｋビット／ｓ又は２０４８ｋビット／ｓ送信ユニットを示すのにも時々使用され、これは、複数のこのような送信ユニットが単一の物理的送信媒体即ち単一の物理的送信ラインにおいて送信される場合でもそうである。厳密に考えられる頭文字ＰＣＭは、トランクラインに通常使用されるパルスコード変調を表わすが、ＰＣＭ送信ラインという用語が当業者によって一般に使用され、これは、特に本明細書では、チャンネルの上記論理的グループ又はチャンネルグループのグループを指し、特定の変調方法を指すものではない。
【０００３】
更に、パケットベースの送信ネットワークは、現在広く使用され、その顕著な例はインターネットである。共通のパケット送信プロトコルは、インターネットプロトコル（ＩＰ）である。ＩＰプロトコルバージョン４は、仕様書ＲＦＣ７９１に詳細に説明されている。ＩＰｖ６として知られているＩＰプロトコルの次のバージョンは、仕様書ＲＦＣ１８８３に記載されている。
テレコミュニケーションの重要性及び利用度が増加するにつれて、異なる形式のネットワークを相互接続する方向に向かっている。例えば、インターネットは、いわゆるインターネット電話を使用して音声を送信するのに既に利用されている。インターネットのデータ送信容量が高まるにつれて、従来の電話に代わるものとしてインターネットを使用することが一般的になってきている。ある電話オペレータは、低い料率でインターネットを経て長距離通話を既に提供している。
【０００４】
ＷＯ９９１４９２９号公報は、パケットデータネットワークを経て長距離電話コールを発信しそしてローカル電話ネットワークを経て市内電話コールを発信する方法及び装置であって、電話機のユーザが希望の行先番号を平易にダイヤルできるような方法及び装置を開示している。パケットデータネットワーク又は電話ネットワークを経てコールをルート指定することは、行き先番号に基づいて行われる。
ＷＯ９９０４５４０号公報は、異なる通信プロトコルに基づいて動作する例えばイーサネット（登録商標）やＡＴＭ（非同期転送モード）のような２つの通信媒体を経て互いに接続された２つのエンドポイント間に通信を確立するシステムを開示している。接続コントローラは、２つのエンドポイントを接続する接続経路を選択し、そしてその接続経路を使用してデータを送信する前に接続を確立するために、エンドポイントと、２つの通信媒体間のインターフェイスとを構成する。
ＷＯ９７１６００７号公報は、パケット交換ネットワーク、又はパケット交換ネットワーク及び電話ネットワークを使用してターミナル間にコールを送信することのできるテレコミュニケーションシステムを開示している。パケット交換ネットワークを電話ネットワークに接続するゲートウェイがある。通常、第１ターミナルとゲートウェイとの間に例えばパケット交換ネットワークを経て第１接続が設定され、そして第２ターミナルとゲートウェイとの間に電話ネットワークを経て第２接続が設定される。
【０００５】
図１は、電話ネットワークと共にＩＰネットワークを使用してスピーチを送信するための１つの考えられる構成を示す。図１に示すように、電話ネットワークのスイッチング要素１０ａ、１０ｂ、１０ｃは、ＰＣＭ通信リンク１２によって互いに接続されている。更に、図１には、ＩＰネットワーク４０と、これに接続されたルータ３０が示されている。ＩＰゲートウェイ２０のようなネットワーク要素は、スイッチング要素１０ａ、１０ｂ、１０ｃをルータ３０に接続する。ＩＰネットワークを使用しないと、接続の第１当事者「当事者Ａ」から第２当事者「当事者Ｂ」へのスピーチデータは、ＰＣＭ接続１２を使用して転送される。コールが進む地理的距離に基づいて、コールは非常に多数のスイッチング要素を通過する。インターネットネットワークのようなＩＰネットワーク４０が使用される場合には、スイッチング要素が、スピーチデータを別のスイッチング要素ではなくＩＰゲートウェイに向け、そしてＩＰゲートウェイは、スピーチデータを、ＩＰネットワークを経て、遠方のスイッチング要素に接続された遠方のＩＰゲートウェイに送信する。遠方のＩＰゲートウェイは、受け取ったＩＰパケットをスピーチデータ流に変換し、そしてそのデータ流を遠方のスイッチング要素に送って更に処理する。コールの１つ以上のレッグがこのようにＩＰネットワークを経てルート指定される。
【発明の開示】
【発明が解決しようとする課題】
【０００６】
公知技術に基づいてコール設定を進める１つの例が図２に示されている。図２は、発呼者「当事者Ａ」のローカル電話交換機５と、電話ネットワークのスイッチング要素１０ａ、１０ｂ、１０ｃとを示している。先ず、発呼者は、コールを開始し、これにより、ローカル電話交換機は、ＩＳＵＰ  ＳＥＴＵＰメッセージを次のスイッチング要素１０ａに送信する（１００）。スイッチング要素１０ａは、デジット分析を実行し（１０５）、コールをどこに向けるか決定する。この例では、デジット分析は、次のスイッチング要素ＳＷＢ  １０ｂがＩＰ可能スイッチであることを露呈する。その結果、スイッチング要素ＳＷＡ  １０ａは、ＩＳＵＰ  ＳＥＴＵＰメッセージ１１０をスイッチング要素ＳＷＢ  １０ｂに送信する。スイッチング要素ＳＷＡ  １０ａは、ＩＰ接続を設定したいという指示を、例えば、スイッチング要素ＳＷＡのＩＰゲートウェイに対応するＩＰアドレスを指定するパラメータとしてメッセージに含むことができる。スイッチング要素ＳＷＢ  １０ｂは、そのスイッチング要素ＳＷＢに接続されたＩＰゲートウェイに対応するＩＰアドレスを指定するＣＨＡＮＮＥＬ  ＩＮＦＯメッセージのようなメッセージを送信する（１１５）ことにより応答する。ＩＰアドレスを受信した後、スイッチング要素ＳＷＡは、ＩＰゲートウェイ及びＩＰネットワークを経てスイッチング要素Ｂへスピーチデータを送信し始めることができる（１２０）。ＣＨＡＮＮＥＬ  ＩＮＦＯメッセージを送信した後に、スイッチング要素ＳＷＢは、デジット分析１２５を実行し、コールをどこに向けるべきか決定する。この例では、デジット分析は、次のスイッチング要素がスイッチング要素ＳＷＣ  １０ｃであり、そしてこのＳＷＣがＩＰ可能要素であることを露呈する。その結果、スイッチング要素ＳＷＢ  １０ｂは、ＩＳＵＰ  ＳＥＴＵＰメッセージ１３０をスイッチング要素ＳＷＣ  １０ｃに送信する。スイッチング要素ＳＷＢ  １０ｂは、ＩＰ接続を設定したいという指示を、例えば、スイッチング要素ＳＷＢのＩＰゲートウェイに対応するＩＰアドレスを指定するパラメータとしてメッセージに含むことができる。スイッチング要素ＳＷＣ  １０ｃは、そのスイッチング要素ＳＷＣに接続されたＩＰゲートウェイに対応するＩＰアドレスを指定するＣＨＡＮＮＥＬ  ＩＮＦＯメッセージのようなメッセージを送信する（１３５）ことにより応答する。ＩＰアドレスを受信した後、スイッチング要素ＳＷＢは、ＩＰゲートウェイ及びＩＰネットワークを経てスイッチング要素Ｃへスピーチデータを送信し始めることができる（１４０）。
【０００７】
それにより得られる状態は、データ転送の効率に関して最適ではなく、スイッチング要素ＳＷＢは、ＩＰネットワークからスピーチデータ流を受信し、そしてスピーチデータ流をネットワークに返送して、スイッチング要素ＳＷＣへ転送する。
セルラーテレコミュニケーションネットワークにおいても同じ状態が生じ、この場合に、スイッチング要素１０ａ、１０ｂ、１０ｃは、セルラーテレコミュニケーションネットワークのスイッチング要素、例えば、ＧＳＭ（移動通信用のグローバルシステム）の移動サービススイッチングセンター（ＭＳＣ）や、ＵＭＴＳ（ユニバーサル移動テレコミュニケーションシステム）ネットワークである。セルラーテレコミュニケーションネットワークでは、このような状態は、インターＭＳＣハンドオーバーの結果としても生じ、例えば、ＭＳＣ  ＳＷＢの制御下にある移動ステーションＭＳが、ＭＳＣ  ＳＷＡの制御下にある移動ステーションへの接続をもったまま、ＭＳＣ  ＳＷＣの制御下にあるエリアへと移動するときに生じる。
【課題を解決するための手段】
【０００８】
本発明の目的は、公知技術に関連した問題を軽減する方法を実現することである。本発明の更に別の目的は、既存のプロトコルに対する最小の変更でこの方法を実現することである。
これらの目的は、接続を監視し、そして接続の到来するレッグ及び出て行くレッグの両方がパケットデータネットワークを経て送信されるのを観察するときに接続解除手順を開始するためのスイッチング要素を構成することにより達成される。又、このスイッチング要素は、到来するレッグの発信スイッチング要素に、出て行くレッグの受信スイッチング要素に対応するパケットデータアドレスを指示する。
【０００９】
本発明による方法は、方法の独立請求項の特徴部分に記載したことを特徴とする。本発明によるスイッチングネットワーク要素は、スイッチングネットワーク要素の独立請求項の特徴部分に記載したことを特徴とする。従属請求項は、本発明の更に別の効果的な形態を記載する。
本発明は、第２のネットワーク、即ちパケットデータネットワークが、従来の電話ネットワークやセルラー電話ネットワークのような回路交換電話ネットワークと組合せて使用されるときの状態に適用できる。本発明によれば、接続の到来するレッグからデータを受信しそしてそのデータを接続の出て行くレッグに転送する電話ネットワークのネットワーク要素は、その接続を監視し、そして接続の到来するレッグ及び出て行くレッグの両方がパケットデータネットワークを経て電話ネットワークの以前のネットワーク要素又は対応的に次のネットワーク要素に送信されることを観察したときに、電話ネットワークの以前のネットワーク要素への接続を解除し、そして次の電話ネットワーク要素に対応するパケットネットワークアドレスを指示し、その後、以前の電話ネットワーク要素がパケットデータネットワークを経て次の電話ネットワーク要素へ直接的にデータを送信することができる。
【発明を実施するための最良の形態】
【００１０】
以下、同様のエンティティが同じ参照番号で示された添付図面を参照して、本発明の好ましい実施形態を詳細に説明する。
図３は、本発明の好都合な実施形態によるコール設定シグナリングを示す。
図３は、発呼者「当事者Ａ」のローカル電話交換機５と、電話ネットワークのスイッチング要素１０ａ、１０ｂ、１０ｃとを示す。先ず、発呼者は、コールを開始し、これにより、ローカル電話交換機は、ＩＳＵＰ  ＳＥＴＵＰメッセージを次のスイッチング要素１０ａに送信する（１００）。スイッチング要素１０ａは、デジット分析を実行し（１０５）、コールをどこに向けるか決定する。この例では、デジット分析は、次のスイッチング要素ＳＷＢ  １０ｂがＩＰ可能スイッチであることを露呈する。その結果、スイッチング要素ＳＷＡ  １０ａは、ＩＳＵＰ  ＳＥＴＵＰメッセージ１１０をスイッチング要素ＳＷＢ  １０ｂに送信する。スイッチング要素ＳＷＡ  １０ａは、ＩＰ接続を設定したいという指示を、例えば、スイッチング要素ＳＷＡのＩＰゲートウェイに対応するＩＰアドレスを指定するパラメータとしてメッセージに含むことができる。スイッチング要素ＳＷＢ  １０ｂは、そのスイッチング要素ＳＷＢに接続されたＩＰゲートウェイに対応するＩＰアドレスを指定するＣＨＡＮＮＥＬ  ＩＮＦＯメッセージのようなメッセージを送信する（１１５）ことにより応答する。ＩＰアドレスを受信した後、スイッチング要素ＳＷＡは、ＩＰゲートウェイ及びＩＰネットワークを経てスイッチング要素Ｂへスピーチデータを送信し始めることができる（１２０）。ＣＨＡＮＮＥＬ  ＩＮＦＯメッセージを送信した後に、スイッチング要素ＳＷＢは、デジット分析１２５を実行し、コールをどこに向けるべきか決定する。この例では、デジット分析は、次のスイッチング要素がスイッチング要素ＳＷＣ  １０ｃであり、そしてこのＳＷＣがＩＰ可能要素であることを露呈する。その結果、スイッチング要素ＳＷＢ  １０ｂは、ＩＳＵＰ  ＳＥＴＵＰメッセージ１３０をスイッチング要素ＳＷＣ  １０ｃに送信する。スイッチング要素ＳＷＢ  １０ｂは、ＩＰ接続を設定したいという指示を、例えば、スイッチング要素ＳＷＢのＩＰゲートウェイに対応するＩＰアドレスを指定するパラメータとしてメッセージに含むことができる。スイッチング要素ＳＷＣ  １０ｃは、そのスイッチング要素ＳＷＣに接続されたＩＰゲートウェイに対応するＩＰアドレスを指定するＣＨＡＮＮＥＬ  ＩＮＦＯメッセージのようなメッセージを送信する（１３５）ことにより応答する。ＩＰアドレスを受信した後、スイッチング要素ＳＷＢは、ＩＰゲートウェイ及びＩＰネットワークを経てスイッチング要素Ｃへスピーチデータを送信し始めることができる（１４０）。
【００１１】
次のステップ２００において、スイッチング要素ＳＷＢは、両レッグＳＷＡ−ＳＷＢ及びＳＷＢ−ＳＷＣがＩＰネットワークを経て送信されるかどうか検査する。この例では、両レッグがパケットネットワークを経て送信される。その結果、スイッチング要素ＳＷＢは、ＩＳＵＰ  ＲＥＬＥＡＳＥメッセージをスイッチング要素ＳＷＡに送信し（２１０）、これは、例えば、スイッチング要素ＳＷＣに対応するＩＰアドレスを、ＩＳＵＰ  ＲＥＬＥＡＳＥメッセージにアタッチされるパラメータとして指示する。ＩＳＵＰ  ＲＥＬＥＡＳＥメッセージを受信した後に、スイッチング要素ＳＷＡは、ＩＰネットワークに送信されるデータ流の行先アドレスをＳＷＢに対応するアドレスからＳＷＣに対応するアドレスに変更し（２２０）、そして接続解除確認メッセージＲＥＬＥＡＳＥ  ＡＣＫをＳＷＢに返送する（２３０）。スイッチング要素ＳＷＡは、例えば、それに接続されたＩＰゲートウェイにコールのデータパケットの新たな行先アドレスをシグナリングすることにより、行先アドレスの変更を行うことができる。解除確認メッセージを受信した後に、スイッチング要素ＳＷＢは、そのスイッチングマトリクスから接続を解除する。解除確認メッセージを送信した後に、ＳＷＡは、ＩＰネットワークを経てＣへデータを直接送信し始めることができる（２５０）。
【００１２】
図３の例は、ＩＳＵＰ  ＲＥＬＥＡＳＥメッセージを本発明の実施形態に使用できることを示す。しかしながら、本発明は、本明細書に述べる種々のメッセージの特定の名前例での使用に限定されるものではない。又、例えば、ＩＳＵＰ  ＲＥＬＥＡＳＥメッセージ以外のコール制御解除メッセージを本発明の種々の実施形態に使用することもできる。
本発明の更に別の効果的な実施形態では、スイッチング要素ＳＷＢは、ＳＷＡに対応するアドレスをスイッチング要素ＳＷＣに指示し、その後、スイッチング要素ＳＷＣは、ＳＷＡを経てのルートの解除をアレンジすることができる。本発明のこのような実施形態は、接続が両方向接続であるか又は同じルートを通して他の方向に関連接続を有する場合に効果的である。このような場合に、スイッチＳＷＡ及びＳＷＣのどちらに、他のスイッチのアドレスの指示がＳＷＢによって送信されるかは実際上重要でない。
【００１３】
図４は、本発明の効果的な実施形態に基づく方法のフローチャートである。図４の例は、図３のスイッチングネットワーク要素ＳＷＢの機能例を示すものである。
第１ステップ３０５において、スイッチングネットワーク要素は、スイッチングネットワーク要素を経て送信される接続を検査する。より詳細には、スイッチングネットワーク要素は、ネットワーク要素から各方向への両レッグがＩＰネットワークのようなパケットデータネットワークを経て送信されるかどうか検査する（３０５）。ステップ３１０において両レッグがパケットネットワークを経て送信されないと分かった場合には、ステップ３１５において次の接続が考慮され、その後、ステップ３０５へ続く。両レッグが同じパケットネットワークを経て送信される場合には、ステップ３２０へ続く。スイッチングネットワーク要素は、接続の出て行くレッグの受信端におけるＮＥに対応するＩＰアドレスのようなパケットネットワークアドレスを、接続の到来するレッグの発信端におけるＮＥへ指示する。次いで、スイッチングネットワーク要素は、そのスイッチングマトリクスから接続を解除する（３２５）。ステップ３３０において全ての接続が既に考慮されたと分かった場合には、方法が終了となり、さもなければ、ステップ３１５において次の接続が考慮される。
【００１４】
本発明の更に別の効果的な実施形態では、ＩＰアドレスを指示するステップ２３０は、接続の到来するレッグの発信端におけるＮＥに接続解除メッセージを送信し、そして確認メッセージを待機した後に、ステップ３２５へ進む。ＩＰアドレスの指示は、ＩＳＵＰ  ＲＥＬＥＡＳＥメッセージにアタッチされるパラメータとして追加されるのが好ましい。
本発明のなお更に別の効果的な実施形態では、ネットワーク要素、即ち図３のネットワーク要素ＳＷＢは、接続の出て行くレッグの受信端におけるＮＥに、データが、接続の到来するレッグの発信端におけるＮＥ、即ち図３のＳＷＡから、接続の受信端におけるＮＥ、即ち図３のＳＷＣへ直接送信されることを指示する。
【００１５】
本発明は、ＧＳＭ又はＵＭＴＳシステムのような多数の異なるセルラーテレコミュニケーションシステムに使用することができる。例えば、図３の実施形態がＧＳＭシステムに適用される場合には、スイッチングネットワーク要素がＧＳＭシステムのＭＳＣ（移動サービス交換センター）である。図５は、本発明のこのような実施形態を示す。図５は、ＭＳＣ４００、４００ｂ及び４００ｃと、ベースステーションコントローラ（ＢＳＣ）４０２と、ベースステーション（ＢＳ）４０４と、移動通信手段４０６とを示す。更に、図５は、ＭＳＣに接続されたパケットネットワークゲートウェイ２０と、パケットデータネットワーク４０及びゲートウェイ２０に接続されたルータ３０とを示している。ＭＳＣ４００、４００ｂ及び４００ｃは、ＰＣＭライン１２のような回路交換データリンク１２によって接続される。本発明のこの実施形態では、スイッチングネットワーク要素４００、４００ｂ及び４００ｃは、少なくとも、
−  接続の到来するレッグ及び出て行くレッグを検査し、そして接続の両レッグが回路交換接続ではなくパケットデータネットワークを経て送信される場合に出力を発生するための手段４５３と、
−  上記出て行くレッグの受信端におけるスイッチングネットワーク要素及び上記到来するレッグの発信端におけるスイッチングネットワーク要素の一方に対応するパケットデータネットワークアドレスを、上記出て行くレッグの受信端におけるスイッチングネットワーク要素及び上記到来するレッグの発信端におけるスイッチングネットワーク要素の他方に、上記出力に対する応答として指示するための手段４５４と、
−  上記出て行くレッグの受信端におけるスイッチングネットワーク要素及び上記到来するレッグの発信端におけるスイッチングネットワーク要素の上記一方に、上記出力に対する応答として接続解除メッセージを送信するための手段４５５とを備えている。
【００１６】
上記出て行くレッグの受信端におけるスイッチングネットワーク要素及び上記到来するレッグの発信端におけるスイッチングネットワーク要素の上記一方は、上記出て行くレッグの受信端におけるスイッチングネットワーク要素であり、そして上記出て行くレッグの受信端におけるスイッチングネットワーク要素及び上記到来するレッグの発信端におけるスイッチングネットワーク要素の上記他方は、上記到来するレッグの発信端におけるスイッチングネットワーク要素であるのが好都合である。
又、図５は、スイッチングネットワーク要素４００の処理ユニット４５０及びメモリユニット４５２も示している。上記手段４５３、４５４及び４５５は、メモリユニット４５２に記憶されたソフトウェアプログラムを使用して実現されそして制御ユニット４５０のマイクロプロセッサにより実行されるのが好都合である。
【００１７】
本発明は、ルートの一部分として接続の送信にパケットネットワークが使用される場合に、固定電話ネットワークにも使用できる。一般に、本発明のスイッチング要素は、回路交換データの送信にパケット接続を使用することのできる回路交換型スイッチング要素である。
以上の例は、接続の処理を一般的に説明するものである。しかしながら、あるシステムでは、接続の制御と実際のデータの転送を互いに分離するのが好都合である。このような場合には、データの単一流を転送するための２つの接続、即ち制御接続とユーザデータ接続が実際に形成される。制御接続は、実際のペイロードデータを転送するユーザデータ接続におけるデータ流を制御するためのデータ転送システムによって形成される。従って、制御接続は、制御シグナリングしか転送しないので、非常に低い容量の接続である。本発明の効果的な実施形態では、ユーザデータ接続のみが、上述したようにパケットデータネットワークを経て導かれ、そして制御接続は、回路交換ネットワーク内に保持される。例えば、このような実施形態が、図３に示すシグナリングを使用して実現される場合には、ユーザデータ接続のみが図３に基づいて制御及び指令されるが、制御接続は、スイッチングネットワーク要素ＳＷＡ、ＳＷＢ及びＳＷＣを経て進み続ける。このような構成は、接続制御の容易さに関して効果的であり、データ転送ルートの一部分としてパケットデータネットワークを使用するにもかかわらず、回路交換ネットワークの全ての制御機能、例えば、勘定を使用することができる。
【００１８】
それ故、特許請求の範囲におけるユーザデータ接続という語は、ユーザデータ接続と制御接続が別々であるシステムにおけるユーザデータ接続を包含する。更に、ユーザデータ接続という語は、接続のペイロードと制御の観点が分離されていないシステムにおける送信接続を包含する。更に、ユーザデータ接続は、スピーチデータ、イメージ、ビデオデータ、ファックスデータ、又は回路交換接続で転送される他の形式のデータを転送することができる。
本明細書及び特許請求の範囲において、接続のレッグという語は、電話ネットワークの１つのスイッチング要素から別のスイッチング要素への接続の一部分を指す。
本発明の種々の実施形態で使用されるＩＰアドレスは、仕様書ＲＦＣ７９１に詳細に記載されたＩＰｖ４アドレスであるか、仕様書ＲＦＣ１８８３に記載されたＩＰｖ６アドレスである。本発明は、ＩＰバージョン４及びＩＰバージョン６ネットワークと、他のパケットデータネットワークの両方に使用することができる。
【００１９】
ベースステーションコントローラのような所与の機能的エンティティの名前は、異なるセルラーテレコミュニケーションシステムの状況においてしばしば異なる。例えば、ＵＭＴＳ（ユニバーサル移動テレコミュニケーションシステム）システムでは、ベースステーションコントローラ（ＢＳＣ）に対応する機能的エンティティは、無線ネットワークコントローラ（ＲＮＣ）である。それ故、本明細書において種々の機能的エンティティを表わすのに使用される特定の用語は、ＧＳＭシステムに基づく例に過ぎず、本発明を何ら限定するものではない。更に、ＣＨＡＮＮＥＬ  ＩＮＦＯメッセージのような種々のコマンド及びメッセージ名は、単なる例に過ぎず、本発明は、ここに示すコマンド及びメッセージ名を使用することに限定されない。
以上の説明に鑑み、本発明の範囲内で種々の変更がなされ得ることが当業者に明らかであろう。本発明の好ましい実施形態を詳細に説明したが、特許請求の範囲に記載する本発明の精神及び範囲から逸脱せずに多数の変更や修正がなされ得ることが明らかである。
【図面の簡単な説明】
【００２０】
【図１】ＰＣＭ送信ライン及びパケットデータネットワークの両方を使用するデータの送信を示す図である。
【図２】公知技術に基づいて接続を設定するためのシグナリングシーケンスを示す図である。
【図３】本発明の効果的な実施形態により接続を設定するためのシグナリングシーケンスを示す図である。
【図４】本発明の効果的な実施形態のフローチャートである。
【図５】ＧＳＭシステムに適用された本発明の効果的な実施形態を示す図である。
【図１】
2008154266.tif 000003
【図２】
2008154266.tif 000004
【図３】
2008154266.tif 000005
【図４】
2008154266.tif 000006
【図５】
2008154266.tif 000007
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
電話ネットワークにおいてデータ送信を最適化する方法であって、少なくとも、
第１スイッチングネットワーク要素は、到来する接続が第２スイッチングネットワーク要素からパケットデータネットワークを経て確立されているかどうか、そして対応する出て行く接続が上記パケットデータネットワークを経て第３スイッチングネットワーク要素へ確立されているかどうかを検査し、そして
上記到来する及び出て行く接続の両方が上記パケットデータネットワークを経て確立されている場合には、上記第１スイッチングネットワーク要素は、上記第２及び第３スイッチングネットワーク要素の一方に、その他方に対応する上記パケットデータネットワークのアドレスを指示し、
上記第１スイッチングネットワーク要素は、その第１スイッチングネットワーク要素と、上記第２及び第３スイッチングネットワーク要素の上記一方との間のユーザデータ接続を解除する、
という段階を含むことを特徴とする方法。
【請求項２】
上記第２及び第３スイッチングネットワーク要素の上記一方は、上記第２スイッチングネットワーク要素であり、そして
上記第２及び第３スイッチングネットワーク要素の上記他方は、上記第３スイッチングネットワーク要素である請求項１に記載の方法。
【請求項３】
上記パケットデータネットワークは、ＩＰネットワークであり、そして上記パケットデータネットワークの上記アドレスは、ＩＰアドレスである請求項１に記載の方法。
【請求項４】
上記パケットデータネットワークの上記アドレスは、ＲＦＣ７９１に基づくＩＰｖ４である請求項３に記載の方法。
【請求項５】
上記パケットデータネットワークの上記アドレスは、ＲＦＣ１８８３に基づくＩＰｖ６である請求項３に記載の方法。
【請求項６】
上記第２及び第３スイッチングネットワーク要素の上記一方に対応する上記アドレスは、コール制御解除メッセージを使用して、上記第２及び第３スイッチングネットワーク要素の上記他方に指示される請求項１に記載の方法。
【請求項７】
上記指示は、ＩＳＵＰ  ＲＥＬＥＡＳＥメッセージにアタッチされる請求項６に記載の方法。
【請求項８】
上記接続は、スピーチデータ接続である請求項１に記載の方法。
【請求項９】
上記スイッチングネットワーク要素は、セルラーテレコミュニケーションネットワークのネットワーク要素である請求項１に記載の方法。
【請求項１０】
上記スイッチングネットワーク要素は、セルラーテレコミュニケーションネットワークのＭＳＣである請求項１に記載の方法。
【請求項１１】
上記スイッチングネットワーク要素は、ＧＳＭネットワークのＭＳＣである請求項１０に記載の方法。
【請求項１２】
上記スイッチングネットワーク要素は、ＵＭＴＳネットワークのＭＳＣである請求項１０に記載の方法。
【請求項１３】
電話ネットワークのスイッチングネットワーク要素において、少なくとも、
到来する接続及び対応する出て行く接続を検査し、そして両接続が回路交換接続ではなくパケットデータネットワークを経て確立されている場合に出力を発生するための手段と、
上記出て行く接続の受信端におけるスイッチングネットワーク要素及び上記到来する接続の発信端におけるスイッチングネットワーク要素の一方に対応するパケットデータネットワークアドレスを、上記出て行く接続の受信端におけるスイッチングネットワーク要素及び上記到来する接続の発信端におけるスイッチングネットワーク要素の他方に、上記出力に対する応答として指示するための手段と、
上記出て行く接続の受信端におけるスイッチングネットワーク要素及び上記到来する接続の発信端におけるスイッチングネットワーク要素の上記一方に、上記出力に対する応答として接続解除メッセージを送信するための手段と、
上記第１スイッチングネットワーク要素と、上記第２及び上記第３スイッチングネットワーク要素の上記一方との間のユーザデータ接続を解除するための手段と、
を備えたことを特徴とするスイッチングネットワーク要素。
【請求項１４】
上記出て行く接続の受信端におけるスイッチングネットワーク要素及び上記到来する接続の発信端におけるスイッチングネットワーク要素の上記一方は、上記出て行く接続の受信端におけるスイッチングネットワーク要素であり、そして上記出て行く接続の受信端におけるスイッチングネットワーク要素及び上記到来する接続の発信端におけるスイッチングネットワーク要素の上記他方は、上記到来する接続の発信端におけるスイッチングネットワーク要素である請求項１３に記載のスイッチングネットワーク要素。
【請求項１５】
上記スイッチングネットワーク要素は、セルラーテレコミュニケーションネットワークのネットワーク要素である請求項１３に記載のスイッチングネットワーク要素。
【請求項１６】
上記スイッチングネットワーク要素は、セルラー電話ネットワークのＭＳＣである請求項１３に記載のスイッチングネットワーク要素。
【請求項１７】
上記スイッチングネットワーク要素は、ＧＳＭネットワークのＭＳＣである請求項１３に記載のスイッチングネットワーク要素。
【請求項１８】
上記スイッチングネットワーク要素は、ＵＭＴＳネットワークのＭＳＣである請求項１３に記載のスイッチングネットワーク要素。